(57)【要約】      （修正有）【課題】モーターのような動力源と手ろくろとを分離可能な構造で、動力源を手ろくろから離れた場所に配置して、作陶の邪魔にならず、防水対策も簡単な手ろくろ駆動装置を提供する。【解決手段】以下の構成要素を含む。（ａ）手ろくろ１４の回転盤１６の裏面に接触して回転するローラ２０。（ｂ）上記ローラ２０の回転軸を位置決めして支持する軸受け２４。（ｃ）上記軸受け２４を固定して、上記ローラ２０の手ろくろ１４への接触圧力を調整する調整板２６。（ｄ）上記回転軸に一端を接続して回転軸と一体に回転するフレキシブルシャフト２８。（ｅ）フレキシブルシャフト２８の他端に取り付けられて電気ドリル３４のチャックに装着される端子。【選択図】図１
0003199605.tif 000002
【実用新案登録請求の範囲】
【請求項１】
以下の構成要素を含む手ろくろ駆動装置。
（ａ）手ろくろの回転盤の裏面に接触して回転するローラ。
（ｂ）上記ローラの回転軸を位置決めして支持する軸受け。
（ｃ）上記軸受けを固定して、上記ローラの手ろくろへの接触圧力を調整する調整板。
（ｄ）上記回転軸に一端を接続して回転軸と一体に回転するフレキシブルシャフト。
（ｅ）フレキシブルシャフトの他端に取り付けられて電気ドリルのチャックに装着される端子。
【請求項２】
上記調整板は、上記軸受けを固定する平坦な部分と、上記ローラを手ろくろに押しつける弾力性のある板を重ねて構成されていることを特徴とする請求項１に記載の手ろくろ駆動装置。
【請求項３】
フレキシブルシャフトは、上記回転軸に回転力を伝えるための柔軟なワイヤ状のものであって、上記端子は、六角軸シャンクであることを特徴とする請求項１または２に記載の手ろくろ駆動装置。
【請求項４】
手ろくろ駆動装置と調整板とを固定し、かつ、手ろくろを乗せる台の部分を設けた下敷板を備えたことを特徴とする請求項１乃至３のいずれかに記載の手ろくろ駆動装置。
【考案の詳細な説明】
【技術分野】
【０００１】  本考案は、手ろくろを自働回転させるための駆動装置に関する。
【背景技術】
【０００２】  手ろくろは手動で回転させるものであるが、これをモーターで回転駆動するように改良した装置が知られている（特許文献１）（特許文献２）。
【先行技術文献】
【特許文献】
【０００３】
【特許文献１】特開２００２−３６１６１５号公報
【特許文献２】特開２０１０−８９２６６号公報
【考案の概要】
【考案が解決しようとする課題】
【０００４】  既知の従来の技術には、次のような解決すべき課題があった。
（１）既存の装置は、動力源のモーターと、手ろくろに接触するロータと駆動部とを備える。これは手ろくろを電気で回転駆動させるもので、手ろくろだけを独立させて使用することができない。
（２）この構造の装置は構造が複雑で高額になる。
（３）モーターを搭載した駆動装置を、水を扱う手ろくろ回転盤の脇に設置しなければならず防水対策のコストがかかる。
（４）駆動装置はサイズが大きくなり、手ろくろの回転面より上に露出するため、作陶や陶芸教室の指導の邪魔になる。
上記の課題を解決するために、本考案は次のような手ろくろ駆動装置を提供することを目的とする。
（１）モーターのような動力源と手ろくろとを分離可能な構造にして、手ろくろだけを独立させて使用できるようにする。
（２）動力源を手ろくろから離れた場所に配置して、作陶の邪魔にならず、防水対策も簡単にする。
（３）手ろくろの駆動装置を構造が簡単で安価なものにする。
（４）取付や高さ調整、部品交換が容易な構造にする。
【課題を解決するための手段】
【０００５】  以下の構成はそれぞれ上記の課題を解決するための手段である。【０００６】＜構成１＞
以下の構成要素を含む手ろくろ駆動装置。
（ａ）手ろくろの回転盤の裏面に接触して回転するローラ。
（ｂ）上記ローラの回転軸を位置決めして支持する軸受け。
（ｃ）上記軸受けを固定して、上記ローラの手ろくろへの接触圧力を調整する調整板。
（ｄ）上記回転軸に一端を接続して回転軸と一体に回転するフレキシブルシャフト。
（ｅ）フレキシブルシャフトの他端に取り付けられて電気ドリルのチャックに装着される端子。【０００７】＜構成２＞
上記調整板は、上記軸受けを固定する平坦な部分と、上記ローラを手ろくろに押しつける弾力性のある板を重ねて構成されていることを特徴とする構成１に記載の手ろくろ駆動装置。【０００８】＜構成３＞
フレキシブルシャフトは、上記回転軸に回転力を伝えるための柔軟なワイヤ状のものであって、上記端子は、六角軸シャンクであることを特徴とする構成１または２に記載の手ろくろ駆動装置。【０００９】＜構成４＞
手ろくろ駆動装置と調整板とを固定し、かつ、手ろくろを乗せる台の部分を設けた下敷板を備えたことを特徴とする構成１乃至３のいずれかに記載の手ろくろ駆動装置。
【考案の効果】
【００１０】＜構成１の効果＞
構造が簡単で安価にでき、電動機等を含まないので軽量である。広く工具として使用されている電気ドリルで回転させることができる。
＜構成２の効果＞
弾力性のある板は、例えば、ゴム板である。調整板の厚さを変えたり、高さ調整用の板を重ねることで、さまざまな高さの手ろくろに簡単かつ柔軟に対応できる。
＜構成３の効果＞
ローラの回転軸と電気ドリルとを柔軟なワイヤ状のフレキシブルシャフト経由で接続するため、両者の回転軸の高さの違いを気にしないでよい。六角軸シャンクにより電気ドリルに簡単に接続できる。フレキシブルシャフトの長さを選ぶことで、手ろくろと電気ドリルを適切に離して配置できる。
＜構成４の効果＞
下敷板の上に手ろくろを乗せることで、その重量で手ろくろとローラの位置が固定され、駆動装置の始動時のはねやずれを防止できる。
【図面の簡単な説明】
【００１１】
【図１】  図１は実施例１の手ろくろ駆動装置の斜視図である。
【図２】  図２は、手ろくろの使用状態の主要部側面図である。
【考案を実施するための形態】
【００１２】  以下、本考案の実施の形態を実施例毎に詳細に説明する。
【実施例１】
【００１３】  図１は実施例１の手ろくろ駆動装置１２の斜視図である。
本考案の手ろくろ駆動装置１２は、次の構成部品を備える。ローラ２０は、手ろくろ１４の回転盤１６の裏面に接触して回転するためのものである。軸受け２４は、上記ローラ２０の回転軸２２を位置決めして支持するためのものである。調整板２６は、上記軸受け２４を固定して、上記ローラ２０の手ろくろ１４への接触圧力を調整するためのものである。フレキシブルシャフト２８は、上記回転軸２２に一端を接続して回転軸２２と一体に回転するためのものである。端子は、フレキシブルシャフト２８の他端に取り付けられて電気ドリル３４のチャックに装着されるためのものである。後の説明では、六角軸シャンクを端子の例として説明している。【００１４】  手ろくろを電動回転させる時は、手ろくろ駆動装置１２のローラの上に、手ろくろの回転盤の裏面が接触する位置に手ろくろを乗せ、フレキシブルシャフト２８の端子を動力源の電気ドリル３４等（以下「電気ドリル」と略する）のチャックに装着することで利用準備が完了する。手ろくろの上に作陶中の作品を置き、電気ドリルの電源を入れてロックオンの状態にすれば、電気ドリルの回転がフレキシブルシャフト、ローラと伝わって手ろくろが電動回転し始める。【００１５】利用者は両手を使って作陶に集中できるため、片手で手回しする時に比較して容易に作品の整形ができる。このため卓上で気軽に使える手ろくろの利便性をさらに高めることができる。手ろくろだけを独立して使用するときは、ローラから外れる位置に手ろくろを少しずらせばよく、電動回転と手回しを簡単に切り替えられる。回転軸２２と一体となって回転するローラ２０は、弾力があり摩擦係数の高いゴムやプラスティック等で成型する。【００１６】なお本手ろくろ駆動装置専用の動力源として、モーターの回転数や回転方向を柔軟に制御できるモーターユニットの開発は既存技術で容易にできる。この装置に本駆動装置を接続すれば、作陶ステップに応じたスイッチやボリューム操作で、最適な電動回転を実現できる。【００１７】  上記調整板２６は、上記軸受け２４を固定する平坦な部分と、上記ローラ２０を手ろくろ１４に押しつける弾力性のある板を重ねて構成する。手ろくろは、大きさ（回転盤の直径）やメーカーの違いによって高さがそれぞれ異なるので、手ろくろを駆動装置の上に置いても、ローラ上端が手ろくろの回転盤の裏面に届かない場合や、届いても接触圧力が弱いことがある。こうした場合は、前記の弾力性のある板を複数枚重ねてセットして適切な接触圧力に調整する。なお絵付け用の支持台が高い手ろくろは本駆動装置の利用対象にはしていない。【００１８】  フレキシブルシャフト２８は、上記回転軸２２に回転力を伝えるための柔軟なワイヤ状のものである。上記端子は、六角軸シャンクである。普及している電気ドリルのほとんどが六角軸シャンクの装着を想定しているため、電気ドリル３４に簡単に接続できる。ローラ２０の回転軸２２と電気ドリル３４とを柔軟なフレキシブルシャフトで接続することで、両者の回転軸２２の高さの違いを気にせずに電気ドリルを選択できる。また、フレキシブルシャフト２８の長さを選ぶことで、水を扱う手ろくろ１４と電気ドリル３４を適切に離して配置できる。【００１９】  手ろくろ駆動装���１２と調整板２６とを固定し、かつ、手ろくろ１４を乗せる台の部分を設けた手ろくろの下敷板３０を設けることで、手ろくろの電動回転をより安定に保つことができる。【００２０】  図２は、板の上端に手ろくろ駆動装置１２を固定し、さらにロータ上部と手ろくろ回転盤裏面が接触する位置に手ろくろを乗せた状態の主要部側面図である。図が複雑になるのでフレキシブルシャフトを外した状態を図示している。一番底に敷いた板を下敷板３０と呼び、この上に手ろくろを乗せることで、その重量で手ろくろとローラの位置が固定され、駆動装置の始動時や電動運転中のはねやずれを防止する。手ろくろの高さがローラの高さより低い場合、手ろくろ支持台１８と下敷板３０の間に適当な厚さの板や紙類を置いて、手ろくろを水平に置けるように調整する。この例ではボルトナット３２で駆動装置を固定した事例を示したが、消耗部品の交換が容易にできる方法で固定する構造にすればよい。
【符号の説明】
【００２１】１２  手ろくろ駆動装置
１４  手ろくろ
１６  回転盤
１８  支持台
２０  ローラ
２２  回転軸
２４  軸受け
２６  調整板
２８  フレキシブルシャフト
３０  下敷板
３２  ボルトナット
３４  電気ドリル
【図１】
0003199605.tif 000003
【図２】
0003199605.tif 000004